(57)【特許請求の範囲】
【請求項１】
描画対象の爪の指の長さ方向に沿った前記爪の長さと、前記爪の長さを前記爪の長さと直行する前記爪の幅で割った前記爪の縦横比と、前記爪の面積を前記爪の長さ方向に沿って前記爪を取り囲む外接四角形の面積で割った前記爪の面積率と、を有する特徴量を算出する解析部と、
複数のネイルデザインの各々が前記爪に描画するのに適合しているか否かを判別する判別部と、
を備え、
前記複数のネイルデザインの各々は、前記ネイルデザインを描画するのに適した、前記爪の長さ、前記爪の縦横比及び前記爪の面積率の範囲のデータを含む判別基準データを有し、
前記判別部は、前記爪の前記特徴量と前記各ネイルデザインの前記判別基準データとの比較に基づいて前記判別を行うことを特徴とするネイルデザイン表示制御装置。
【請求項２】
前記複数のネイルデザインの少なくともいずれかを表示する表示部と、
前記複数のネイルデザインのうちの、前記判別部により適合していると判別された少なくとも一つの適合ネイルデザインを前記表示部に表示させる表示制御部と、
を備えることを特徴とする請求項１に記載のネイルデザイン表示制御装置。
【請求項３】
前記判別部で前記爪に適合すると判別された前記適合ネイルデザインを前記表示部に表示させる指示がなされる操作部を備え、
前記表示制御部は、前記操作部により前記爪に適合する前記適合ネイルデザインを前記表示部に表示する指示が行われたとき、前記表示部に前記適合ネイルデザインを表示させることを特徴とする請求項２に記載のネイルデザイン表示制御装置。
【請求項４】
前記表示制御部は、前記表示部に前記複数のネイルデザインを表示させるとともに、前記複数のネイルデザインのうちの前記適合ネイルデザインを強調して表示させることを特徴とする請求項２又は請求項３に記載のネイルデザイン表示制御装置。
【請求項５】
前記表示制御部は、前記表示部に前記複数のネイルデザインの各々を表示させるときの表示順序を制御し、前記複数のネイルデザインのうちの前記適合ネイルデザインを、該適合ネイルデザイン以外の前記各ネイルデザインより上位の表示順序で表示させることを特徴とする請求項２乃至４のいずれかに記載のネイルデザイン表示制御装置。
【請求項６】
前記表示制御部は、前記表示部に、前記ネイルデザインとして前記適合ネイルデザインのみを表示させることを特徴とする請求項２又は請求項３に記載のネイルデザイン表示制御装置。
【請求項７】
請求項２乃至６のいずれかに記載のネイルデザイン表示制御装置と、
前記表示部のネイルデザイン表示領域に表示された前記適合ネイルデザインの中から前記爪に描画する特定のネイルデザインを選択するための選択部と、
前記選択部で選択された前記特定のネイルデザインを前記爪に描画する描画部と、
を備えることを特徴とするネイルプリント装置。
【請求項８】
描画対象の爪の指の長さ方向に沿った前記指の長さと、前記爪の長さを前記爪の長さと直行する前記爪の幅で割った前記爪の縦横比と、前記爪の面積を前記爪の長さ方向に沿って前記爪を取り囲む外接四角形の面積で割った前記爪の面積率と、を有する特徴量を算出する解析ステップと、
複数のネイルデザインの各々が前記爪に描画するのに適合しているか否かを判別する判別ステップと、
を含み、
前記複数のネイルデザインの各々は、前記ネイルデザインを描画するのに適した、前記爪の長さ、前記爪の縦横比及び前記爪の面積率の範囲のデータを含む判別基準データを有し、
前記判別ステップは、前記爪の前記特徴量と前記各ネイルデザインの前記判別基準データとの比較に基づいて、前記判別を行うことを特徴とするネイルデザイン表示制御方法。
【請求項９】
コンピュータに、
描画対象の爪の指の長さ方向に沿った前記指の長さと、前記爪の長さを前記爪の長さと直行する前記爪の幅で割った前記爪の縦横比と、前記爪の面積を前記爪の長さ方向に沿って前記爪を取り囲む外接四角形の面積で割った前記爪の面積率と、を有する特徴量を算出させ、
描画するのに適した前記爪の長さ、前記爪の縦横比及び前記爪の面積率の範囲のデータを含む判別基準データを有している、複数のネイルデザインの各々が前記爪に描画するのに適合しているか否かを、前記爪の特徴量と前記判別基準データとの比較に基づいて判別させることを特徴とするネイルデザイン表示制御プログラム。
【発明の詳細な説明】
【技術分野】
【０００１】
本発明は、ネイルデザイン表示制御装置、ネイルプリント装置、ネイルデザイン表示制御方法及びネイルデザイン表示制御プログラムに関する。
【背景技術】
【０００２】
従来、指の爪にネイルデザインを描画するネイルプリント装置が提案されている。
例えば、特許文献１に、インクジェット印刷技術を用い、手指の爪及び足指の爪にネイルデザインを描画するネイルプリント装置の技術が記載されている。
【０００３】
一般に、ネイルプリント装置では、ネイルデザインを爪に印刷する際、描画対象の爪の領域を検出し、その領域に合わせて、デザインの縦横比や縮尺を変更し、爪のサイズに合わせて印刷が行われる。しかし、ネイルデザインの中には、特定の爪形状に適するようにデザインされているものもある。
【０００４】
例えば、図１０（ａ）に示すように、縦長の爪１０１に適するようにデザインされたネイルデザイン１０２があるとする。このようなネイルデザイン１０２を横長の爪１０３に合わせて描画する場合に、図１０（ｂ）に示すように、爪１０３の領域全体に描画するようにデザインを変形させて描画すると模様が潰れてしまう。また、デザインの縦横比を変えないようにして描画すると、図１０（ｃ）に示すように、左右の余白１０４が大きくバランスの悪いデザインになってしまう。ネイリストにデザインを描いてもらう場合には、ネイリストが爪１０１，１０３の形に応じてデザインを決めるが、ネイルプリント装置を用いる場合には、複数のネイルデザインから、描画しようとする爪１０１，１０３の形状に適したネイルデザインをユーザーが自分で探さなくてはならず、爪の形状に適したネイルデザインを見つけることが難しかった。
【先行技術文献】
【特許文献】
【０００５】
【特許文献１】特表２００３−５３４０８３号公報
【発明の概要】
【発明が解決しようとする課題】
【０００６】
本発明は、上記のような事情に鑑みなされたものであり、ユーザーが、複数のネイルデザインから、描画対象の爪の形状に適したデザインをより簡便に選択することができるネイルデザイン表示制御装置、このネイルデザイン表示制御装置を備えて爪に描画するネイルプリント装置、ネイルデザイン表示制御方法及びネイルデザイン表示制御プログラムを提供することを目的とする。
【課題を解決するための手段】
【０００７】
本発明は、以下の構成によって把握される。
本発明のネイルデザイン表示制御装置は、描画対象の爪の指の長さ方向に沿った前記爪の長さと、前記爪の長さを前記爪の長さと直行する前記爪の幅で割った前記爪の縦横比と、前記爪の面積を前記爪の長さ方向に沿って前記爪を取り囲む外接四角形の面積で割った前記爪の面積率と、を有する特徴量を算出する解析部と、複数のネイルデザインの各々が前記爪に描画するのに適合しているか否かを判別する判別部と、を備え、前記複数のネイルデザインの各々は、前記ネイルデザインを描画するのに適した、前記爪の長さ、前記爪の縦横比及び前記爪の面積率の範囲のデータを含む判別基準データを有し、前記判別部は、前記爪の前記特徴量と前記各ネイルデザインの前記判別基準データとの比較に基づいて前記判別を行うことを特徴とする。
【０００８】
本発明のネイルデザイン表示制御方法は、描画対象の爪の指の長さ方向に沿った前記指の長さと、前記爪の長さを前記爪の長さと直行する前記爪の幅で割った前記爪の縦横比と、前記爪の面積を前記爪の長さ方向に沿って前記爪を取り囲む外接四角形の面積で割った前記爪の面積率と、を有する特徴量を算出する解析ステップと、予め記憶されている複数のネイルデザインの各々が前記爪に描画するのに適合しているか否かを判別する判別ステップと、を含み、前記複数のネイルデザインの各々は、前記複数のネイルデザインの各々は、前記ネイルデザインを描画するのに適した、前記爪の長さ、前記爪の縦横比及び前記爪の面積率の範囲のデータを含む判別基準データを有し、前記判別ステップは、前記爪の前記特徴量と前記各ネイルデザインの前記判別基準データとの比較に基づいて、前記判別を行うことを特徴とする。
【０００９】
本発明のネイルデザイン表示制御プリグラムは、コンピュータに、描画対象の爪の指の長さ方向に沿った前記指の長さと、前記爪の長さを前記爪の長さと直行する前記爪の幅で割った前記爪の縦横比と、前記爪の面積を前記爪の長さ方向に沿って前記爪を取り囲む外接四角形の面積で割った前記爪の面積率と、を有する特徴量を算出させ、描画するのに適した前記爪の長さ、前記爪の縦横比及び前記爪の面積率の範囲のデータを含む判別基準データを有している、複数のネイルデザインの各々が前記爪に描画するのに適合しているか否かを、前記爪の特徴量と前記判別基準データとの比較に基づいて判別させることを特徴とする。
【発明の効果】
【００１０】
本発明によれば、ユーザーが、複数のネイルデザインから、描画対象の爪の形状に適したデザインを有するネイルデザインをより簡便に選択することができる。
【図面の簡単な説明】
【００１１】
【図１】本発明の実施形態に係るネイルプリント装置の正面図である。
【図２】図１のＡ矢視図であり、一部を断面にして内部構造を示した側面図である。
【図３】実施形態に係る表示部の平面図である。
【図４】実施形態に係る制御の構成を示すブロック図である。
【図５】実施形態に係る特徴量を説明する指画像の平面図である。
【図６】実施形態に係る判別基準データを説明する表である。
【図７】実施形態に係るネイルプリント装置の動作を示すフローチャートである。
【図８】実施形態に係る指受け入れ部周辺の側断面を模式的に示す図である。
【図９】実施形態に係る表示部に表示される選択画面の一例を示す図である。
【図１０】ネイルデザインを描画する従来の技術を説明する図であり、（ａ）は縦長の爪にネイルデザインを描画した例を示す図、（ｂ）は横長の爪にネイルデザインを描画した例を示す図、（ｃ）は横長の爪にネイルデザインを描画した他の例を示す図である。
【発明を実施するための形態】
【００１２】
以下、添付図面を参照して、本発明を実施するための形態（以下、「実施形態」と称する）について詳細に説明する。なお、実施形態の説明の全体を通して同じ要素には同じ番号を付している。また、以下の説明において、「前」、「後」は、各々、ネイルプリンと装置に正対したときの「手前側」、「奥側」を示し、「左」、「右」は、各々、ネイルプリント装置に正対したときの「左側」、「右側」を示す。
【００１３】
また、以下の実施形態では、ネイルプリント装置は手の指の爪の表面を描画対象面として、これに描画するものとして説明するが、本発明の描画対象面は手の指の爪の表面に限るものではなく、例えば足の指の爪の表面を描画対象面としてもよい。
【００１４】
（実施形態の構成）
ネイルプリント装置の構成を図１〜図３に基づいて説明する。図１は、ネイルプリント装置の正面図であり、図２は、図１のＡ矢視図であって一部を断面にして内部構造を示した側面図である。図３は、表示部を上方から見た平面図である。
【００１５】
図１及び図２に示すように、ネイルプリント装置１０は、人の指の爪１１にデザインを描くペン型のプロッタであって、ケース本体４０と、このケース本体４０に収容される装置本体４１と、を備える。なお、図１及び図２において、ケース本体４０を二点鎖線で示している。
【００１６】
ケース本体４０の一側（この例では、右側）には、開閉可能なペン取り換え用蓋部３９が設けられる。
【００１７】
ケース本体４０の上面（天板）には、表示部３２が設置されている。この例では、表示部３２は、液晶ディスプレイ（ＬＣＤ：Ｌｉｑｕｉｄ  Ｃｒｙｓｔａｌ  Ｄｉｓｐｌａｙ）、有機エレクトロルミネッセンスディスプレイなど各種のフラットディスプレイである。また、表示部３２は、操作部３１を兼ね備えたタッチパネル式となっており、例えば、指先やスタイラスペン又は先の尖った棒状の筆記具などによって表示部３２の表面を触るタッチ操作によって、ユーザーからの指示を取り込むことができる。表示部３２のさらに詳しい構成については、後述する。
【００１８】
図１に示すように、装置本体４１は、略箱状に形成され、ケース本体４０の前下部に設けられる下部機枠４２と、ケース本体４０の前上部に設けられ下部機枠４２に固定される上部機枠４３とから構成される。そして、装置本体４１には、指固定部４５や画像取得部４６が設けられる。さらに、装置本体４１には、ペン２０を備える描画部７０と、この描画部７０を左右方向及び前後方向に移動させる移動装置８０と、ペン先２６を保護するためのキャップ部４７と、ペン２０を慣らすためのペン慣らし書き部４８と、各部の動作を制御する制御装置５１（図４参照）と、が設けられる。なお、ネイルプリント装置１０（描画部７０）に搭載されるペン２０の数は、任意であるが、ここでは、４本のペン２０を搭載したものを例示している。
【００１９】
上部機枠４３は、表示部３２の下面に沿うように設けられる基板４３ａと、左右一対の上部側板４３ｂとにより構成される。上部機枠４３には、ペン取り換え用蓋部３９に対応する位置にペン取り換え口４３ｃを設ける。ペン２０の装填・取り出しに際しては、描画部７０を右側に移動させた状態でペン取り換え用蓋部３９を開け、ペン取り換え口４３ｃを介してペン２０をペンホルダ７２に装填したり取り出したりすることができる。実際の使用では、表示部３２に表示される手順にしたがって、タッチパネル式の表示部３２を操作し、デザインなどを選択すると、どのペンホルダ７２に何色のペン２０を入れるか（例えば、「Ｎｏ．１のペンホルダ７２」に、「Ｎｏ．２のペン２０」を入れるなど）が指示される。
【００２０】
図２に示すように、下部機枠４２は、背面板４２ａ、底板４２ｂ、左右一対の下部側板４２ｃ及び隔壁４２ｄにより構成される。下部側板４２ｃの下端部は、底板４２ｂの左右方向の端部に連結される。背面板４２ａは、底板４２ｂと下部側板４２ｃによって囲われる領域の後側を塞ぐように底板４２ｂ及び下部側板４２ｃに連結される。背面板４２ａの下部は、前方に向けて階段状に凹む凹部４２ｅが形成される。隔壁４２ｄは、下部機枠４２の内側空間（背面板４２ａ、底板４２ｂ及び下部側板４２ｃで囲われる空間）を上下に区切るように下部機枠４２の内側に設けられる。隔壁４２ｄは、略水平方向に沿って設けられる。隔壁４２ｄの左右両端部は、下部側板４２ｃに連結され、隔壁４２ｄの後端部は、背面板４２ａに連結される。
【００２１】
下部機枠４２には、指固定部４５が一体に設けられる。指固定部４５は、隔壁４２ｄによって区分けされる指受け入れ部４５ａと指退避部４５ｂを有する。指受け入れ部４５ａは、隔壁４２ｄの上側でかつ下部機枠４２の左右方向の略中央位置に配置される。指受け入れ部４５ａは、デザインを描く爪１１に対応する描画指１２を受け入れる。一方、指退避部４５ｂは、隔壁４２ｄの下側に形成され、非描画指１３を退避させる。
【００２２】
指受け入れ部４５ａは、下部機枠４２の前方側及び上方側に開口している。指受け入れ部４５ａの下側には、隔壁４２ｄの一部を構成する描画指載置部４５ａ１が形成される。また、隔壁４２ｄの上面でかつ下部機枠４２の前面側の両側部には、下部機枠４２の前面側を塞ぐ前壁４２ｆが立設される。また、隔壁４２ｄの上面には、この前壁４２ｆから指受け入れ部４５ａに向けて徐々に幅が狭くなる左右一対のガイド壁４２ｇが設けられる。左右一対のガイド壁４２ｇは、描画指１２を指受け入れ部４５ａに案内する機能を有する。
【００２３】
指固定部４５では、ユーザーは、指受け入れ部４５ａに挿入した描画指１２と指退避部４５ｂに挿入した非描画指１３とで隔壁４２ｄを挟むことができる。これにより、指受け入れ部４５ａ内に挿入された描画指１２を安定して固定することができる。
【００２４】
さらに、隔壁４２ｄの前部に下方に張り出した突出部４２ｄ１が形成されている。この例では、突出部４２ｄ１の上面は、水平方向に沿う面であり、突出部４２ｄ１の下面は、前方に行くにしたがってその厚さが徐々に薄くなるテーパ状の面に形成される。そして、突出部４２ｄ１の下面の後側には、上方に凹む凹部４２ｄ２が形成される。このような突出部４２ｄ１及び凹部４２ｄ２を隔壁４２ｄに設けることにより、非描画指１３が指退避部４５ｂに挿入されたとき、描画済みの爪１１と凹部４２ｄ２の天井面との間に空間が確保される。その結果、描画済みの爪１１が隔壁４２ｄに接触して装置側にインクが付着したり、爪１１に描かれた絵柄が擦れて損なわれたりすることを防止できる。
【００２５】
図１に戻る。図１に示すように、画像取得部４６は、基板４３ａの下面の中央部に設けられており、カメラ４６ａ及び照明灯４６ｂを備える。この例では、複数（例えば、２個）のカメラ４６ａと複数（例えば、４個）の照明灯４６ｂを搭載した構成を示す。カメラ４６ａは、指受け入れ部４５ａ内に挿入された描画指１２及びその爪１１を撮影するものであり、例えば、２００万画素程度又はそれ以上の画素数を有するものを好適に用いることができる。複数の照明灯４６ｂは、カメラ４６ａを囲うように配置され、カメラ４６ａによる撮影の際に描画指１２の爪１１を照明する。照明灯４６ｂには、白色ＬＥＤなどを好適に用いることができる。ここで、カメラ４６ａは基板４３ａの下面に設けられていて、ネイルプリント装置１０に一体的に設けられているものとしたが、例えば、ネイルプリント装置１０とは別にデジタルカメラを用意し、このデジタルカメラをカメラ４６ａと同等の位置に取り付けて用いてもよい。
【００２６】
カメラ４６ａによって取得された爪１１を含む描画指１２の画像（以下、「指画像Ｐ」と称する）に基づいて、後述する爪領域検出部５９（図４参照）が爪１１の形状、爪１１の位置（爪１１の水平及び長さ方向の位置を含む）、爪１１の曲率等の情報を検出する。また、画像取得部４６は、後述する撮影制御部５８（図４参照）に接続されており、この撮影制御部５８によって制御される。画像取得部４６によって撮影されて取得された指画像Ｐのデータは、後述する爪画像記憶部５５（図４参照）に記憶される。
【００２７】
なお、画像取得部４６において、複数のカメラ４６ａのうち、少なくとも１個を真上から爪１１を撮影するように指受け入れ部４５ａの直上に配置し、少なくとも１個を斜め上方から爪１１を撮影するように指受け入れ部４５ａの直上からずらして配置することができる。これにより、カメラ４６ａによって爪１１を平面的に撮影するとともに爪１１を斜め上方から撮影することで、爪１１の曲率をより正確に計算し、湾曲した爪１１の面に合わせて好適にデザインを爪１１に描くことができる。
【００２８】
図２に示すように、移動装置８０は、描画部７０を支持するキャリッジ８１をＸ方向（左右方向）に移動させるＸステージ８２と、キャリッジ８１をＹ方向（前後方向）に移動させるＹステージ８３とを備える。Ｘステージ８２及びＹステージ８３のそれぞれは、ステッピングモータからなる駆動部８５、ボールネジ及びガイドにより構成される。駆動部８５は、ステッピングモータの他、サーボモータなど各種の駆動手段から選択可能であり、描画部７０を随意に移動可能な手段であれば種類は任意である。また、Ｘステージ８２及びＹステージ８３は、ステッピングモータ、ボールネジ及びガイドの組合せの他、一般に使用されているシャフトやガイドとワイヤで構成された機構などでもよい。
【００２９】
キャリッジ８１は、Ｘステージ８２から上方に向けて延びる下部キャリッジ８１ａと、この下部キャリッジ８１ａの上端から前方に向けて延びる上部キャリッジ８１ｂとにより構成される。上部キャリッジ８１ｂの前端部には、描画部７０が取り付けられる。
【００３０】
ネイルプリント装置１０においては、キャリッジ８１を移動装置８０によってＸ方向及びＹ方向に任意に移動させることにより、描画部７０のペン２０をＸ方向及びＹ方向における任意の位置に移動させることができ、所望のデザインが爪１１に描画可能である。
【００３１】
図１に戻る。図１に示すように、キャップ部４７は、指受け入れ部４５ａの左右一側（この例では、左側）に配置される。キャップ部４７は、キャップ本体４７ａと、キャップ本体４７ａに設けられ上方に開放した挿入穴４７ｂとを有する。この挿入穴４７ｂには、ペン２０のペン先２６が上方から挿入可能である。ネイルプリント装置１０では、非使用時において、描画部７０をキャップ部４７の上方に移動させ、ペン２０のペン先２６を挿入穴４７ｂに挿入しておくことができる。これにより、非描画時におけるペン先２６の乾燥を防ぐことができる。なお、挿入穴４７ｂの数は、描画部７０に搭載するペン２０の本数に応じて任意に設定可能である。この例では、ペン２０の本数（４本）に合わせて４つの挿入穴４７ｂを左右に並べて設ける。
【００３２】
ペン慣らし書き部４８は、平板状の部分であり、キャップ部４７の後側に配置される。また、上部側板４３ｂ（この例では、左側の上部側板４３ｂ）には、差し込み口４３ｂ１が設けられる。ペン慣らし書き部４８には、差し込み口４３ｂ１から差し込まれた被描画媒体１５が載置される。被描画媒体１５は、ペン先２６を慣らすことができるものであれば任意であり、例えば、紙などを用いることができる。このネイルプリント装置１０では、ペン先２６が乾いていたりインクの乗りが悪く書き始めがかすれたりするのを防止するため、爪１１にデザインを描く直前に、被描画媒体１５にペン２０のペン先２６を、接触を下降させて、「○」や「∞」などの所定の図形を描画して、慣らし書きを行う。これにより、良好な状態のペン先２６を用いて爪１１にデザインを描くことができる。所定の図形は格別に限定されるものではく、インクを無駄に消費しないように、「○」や「∞」などの単純な図形であることが好適である。また、「○」や「∞」などの慣らし書きは、ペン慣らし書き部４８の範囲内で、慣らし書きを行う毎に、同じところに書かないように少しずつ位置をずらしながら書くようにすることが望ましい。また、被描画媒体１５の略全面を慣らし書きで使用した場合は、表示部３２に「紙を交換して下さい」などの文字を表示することができ、これにより、新しい紙に慣らし書ができる。
【００３３】
図３に示すように、表示部３２の左右一側（この例では、右側）には、指画像Ｐ、指画像Ｐに含まれる爪領域Ｔ（爪１１の輪郭線等の画像）を確認することができるデザイン確認部３２ａが設けられる。一方、表示部３２の左右他側（この例では、左側）には、複数のネイルデザインＤが表示されるデザイン選択部３２ｂが設けられる。なお、以下の説明において、異なる複数のネイルデザインＤを区別して称する場合、符号Ｄに異なる数字を後続させ、「ネイルデザインＤ１」、「ネイルデザインＤ２」、「ネイルデザインＤ３」・・・と記載し、異なる複数のネイルデザインＤ１，Ｄ２，Ｄ３・・・を総じて称する場合は、数字を後続せずに「ネイルデザインＤ」と記載する。
【００３４】
デザイン選択部３２ｂでは、表示された複数のネイルデザインＤの中から爪１１に描画するネイルデザインＤをタッチ操作によって選択可能である。また、デザイン確認部３２ａの左右に設けられる三角形のボタン３２ｃを押すことで、デザイン確認部３２ａに表示されていない別のネイルデザインＤを表示させることができる。
【００３５】
さらに、表示部３２には、爪１１に描画するのに適したネイルデザインＤをデザイン選択部３２ｂに表示させるためのおすすめボタン３２ｄと、指画像Ｐを取得するための指画像取得ボタン３２ｅと、選択したネイルデザインＤを爪１１に描画するための描画ボタン３２ｆとが設けられる。
【００３６】
図４は、本発明に係るネイルプリント装置１０の制御の構成を示すブロック図である。
図４に示すように、制御装置５１は、ＣＰＵ（Ｃｅｎｔｒａｌ  Ｐｒｏｃｅｓｓｉｎｇ  Ｕｎｉｔ）により構成される制御部５２と、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などで構成される記憶部５３とを備える。
【００３７】
制御部５２は、撮影制御部５８、爪領域検出部５９、表示制御部６０、描画制御部６１、解析部６２、判別部６３、画像処理部６４を備える。これら撮影制御部５８、爪領域検出部５９、表示制御部６０、描画制御部６１、解析部６２、判別部６３、画像処理部６４の機能は、制御部５２のＣＰＵと記憶部５３のＲＯＭに記憶されたプログラムとの共働によって実現される。
【００３８】
記憶部５３には、ネイルプリント装置１０を動作させるための各種プログラムや各種データが格納されている。記憶部５３のＲＯＭには、画像取得部４６のカメラ４６ａに描画指１２を撮像させる機能と、解析部６２に爪領域Ｔの形状を解析させて爪１１の特徴量（後述）を求める機能と、この特徴量に基づき、判別部６３にネイルデザインＤが爪１１に描画するのに適したデザインかを判別するための判別基準データ（後述）に適合するかを判別させる機能を、少なくとも実現するプログラム（本発明の「ネイルデザイン表示制御プログラム」に相当）などの各種プログラムが格納されており、これらのプログラムが制御装置５１によって実行されることで、ネイルプリント装置１０の各部が統括制御される。
【００３９】
また、記憶部５３には、画像取得部４６によって取得されたユーザーの爪領域Ｔを記憶する爪画像記憶部５５、解析部６２によって算出された特徴量が記憶される爪領域特徴量記憶部５６、及び、判別基準データを有する複数のネイルデザインＤを記憶するネイルデザイン記憶部５７が設けられている。
【００４０】
ここで、爪１１の特徴量及び判別基準データを図５、図６に基づいて説明する。
図５は、爪の特徴量を説明する指画像の平面図、図６は、判別基準データを説明する表である。
【００４１】
図５に示すように、爪の特徴量は、描画指１２の長さ方向に沿った爪１１の長さＨと、この爪１１の長さＨを、描画指１２の長さ方向と直交する爪１１の幅Ｗで割った爪１１の縦横比（Ｈ／Ｗ）と、爪領域Ｔの面積（図５における斜線部の面積）を、爪１１の長さ方向と幅方向とに沿って爪１１を取り囲む外接四角形Ｓ（図５において破線で示す）の面積で割った爪１１の面積率Ｒとで構成される。
【００４２】
爪１１の長さＨは、爪１１の幅方向をＸ軸とし指の長さ方向をＹ軸としたとき、（爪領域ＴのＹ座標の最大値−爪領域ＴのＹ座標最小値）で求められる。また、爪１１の縦横比（Ｈ／Ｗ）は、（爪領域ＴのＹ座標の最大値−爪領域ＴのＹ座標の最小値）／（爪領域ＴのＸ座標の最大値−爪領域ＴのＸ座標の最小値）で求められる。また、面積率Ｒは、爪領域Ｔの面積／{（爪領域ＴのＹ座標の最大値−爪領域ＴのＹ座標の最小値）×（爪領域ＴのＸ座標の最大値−爪領域ＴのＸ座標の最小値）}で求められ、爪領域Ｔがどれだけ四角形に近い形状かを示す値である。
【００４３】
図６に示すように、判別基準データは、個々のネイルデザインＤに付与されているものであり、各ネイルデザインＤに適した爪１１の長さＨ、縦横比（Ｈ／Ｗ）及び面積率Ｒの範囲を示すデータである。例えば、Ｎｏ．０１のネイルデザインＤ１は、爪１１の長さＨは任意（図では「ＡＬＬ」と記す）であるが、爪１１の縦横比（Ｈ／Ｗ）が１．０以上、面積率Ｒが８０％以上であることを適合条件とした判別基準データを有する。また、Ｎｏ．０２のネイルデザインＤ２は、爪１１の縦横比（Ｈ／Ｗ）、爪１１の長さＨ及び面積率Ｒが任意である判別基準データを有する。また、Ｎｏ．０３のネイルデザインＤ３は、面積率Ｒは任意であるが、爪１１の縦横比（Ｈ／Ｗ）が１．０以下、爪１１の長さＨが５ｍｍ以上であることを適合条件とした判別基準データを有する。
【００４４】
図４に戻る。撮影制御部５８は、画像取得部４６のカメラ４６ａ及び照明灯４６ｂを制御してカメラ４６ａにより、指受け入れ部４５ａに挿入された描画指１２を撮影し、爪１１を含む指画像Ｐを取得する。
【００４５】
爪領域検出部５９は、指受け入れ部４５ａに挿入され、カメラ４６ａで撮影された指画像Ｐに基づいて爪領域Ｔを検出する。
【００４６】
表示制御部６０は、表示部３２を制御して表示部３２に各種の画面を表示させる。表示制御部６０は、例えば、デザイン選択部３２ｂやデザイン確認部３２ａ、指画像Ｐや爪領域Ｔなどの各種の表示画面や、おすすめボタン３２ｄ、指画像取得ボタン３２ｅ、描画ボタン３２ｆなどの各種ボタンを表示部３２に表示させる。
【００４７】
描画制御部６１は、画像処理部６４によって生成された描画データを移動装置８０及び描画部７０に出力し、爪１１に対してこの描画データに応じた描画を施すように、移動装置８０の駆動部８５と、描画部７０の動作を制御し、ペン２０による描画を行う。
【００４８】
解析部６２は、爪領域Ｔを解析して爪１１の特徴量を求める。より具体的には、画像取得部４６のカメラ４６ａで撮影された爪領域Ｔから爪１１の長さＨ、縦横比（Ｈ／Ｗ）及び面積率Ｒを求める。なお、解析部６２は、爪１１の長さＨを求めるにあたり、爪１１を撮影する際に取得される描画指１２の状態から、Ｙ軸（図５参照）を描画指１２の延在方向に沿った方向に定め、その定めたＹ軸の方向と直交する方向にＸ軸（図５参照）を定めている。
【００４９】
判別部６３は、解析部６２で求めた爪１１の特徴量が判別基準データに適合するか否かを判別する。表示制御部６０は、この判別部６３による判別結果に基づき、表示部３２のデザイン選択部３２ｂにおいて、ユーザーの爪１１に適した判別基準データを有するネイルデザインＤをユーザーに提示する。
【００５０】
画像処理部６４は、指画像Ｐにおける爪領域Ｔの大きさに合わせて、ユーザーにより選択されたネイルデザインＤの縮小・拡大を行い、描画データを生成する。
【００５１】
（実施形態の動作）
続いて、ネイルプリント装置１０を用いてネイルデザインＤを爪１１に形成する方法を図７〜図９に基づいて説明する。図７は、ネイルプリント装置の動作を示すフローチャート、図８は、指受け入れ部周辺の側断面の模式図、図９は、表示部に表示される選択画面の一例を示す図である。
【００５２】
図７に示すように、まず、ステップＳ１において、ユーザーは、表示部３２の指画像取得ボタン３２ｅを押す。より具体的には、一方の手の描画指１２を指受け入れ部４５ａの前側開口から挿入して描画指載置部４５ａ１に載置した状態で（図８参照）、他方の手を使って指画像取得ボタン３２ｅを押す。これにより、ステップＳ２において、カメラ４６ａにより指画像Ｐが撮影される。ステップＳ２は、本発明にいう「撮像ステップ」に相当する。
【００５３】
次に、ステップＳ３において、指画像Ｐを表示制御部６０により表示部３２のデザイン確認部３２ａ（図３参照）に表示し、ステップＳ４において、爪領域検出部５９により、取得した指画像Ｐを元にエッジ検出処理などを行い、爪領域Ｔを検出する。そして、ステップＳ５において、解析部６２により、爪領域Ｔの特徴量である爪１１の長さＨ、縦横比（Ｈ／Ｗ）及び面積率Ｒを算出する。ステップＳ５は、本発明にいう「解析ステップ」に相当する。
【００５４】
次に、ステップＳ６において、爪１１の形状に適するネイルデザインＤを判別して探す。すなわち、算出した爪領域Ｔの特徴量と、各ネイルデザインＤに対して付与されている情報とを判別部６３により比較し、爪領域Ｔの特徴量が各ネイルデザインＤの判別基準データに適合するか否かを判別する。例えば、縦横比（Ｈ／Ｗ）が１．２、面積率Ｒが８５％である爪１１の場合、判別基準データ（図６参照）より、Ｎｏ．０１のネイルデザインＤ１及びＮｏ．０２のネイルデザインＤ２が、爪１１に適合する相性の良いデザインとして判別される。このとき、爪１１に適合するネイルデザインＤをデザイン選択部３２ｂに表示する指示をユーザーが行うと、表示制御部６０により、爪１１に適合すると判別されたネイルデザイン（適合ネイルデザイン）Ｄがデザイン選択部３２ｂに表示される。例えば、おすすめボタン３２ｄ（図３参照）を押すことにより、デザイン選択部３２ｂに表示される複数のネイルデザインＤを爪１１との相性に応じて並び替えることができる。より具体的には、爪１１に適合すると判別されたネイルデザイン（適合ネイルデザイン）Ｄ１，Ｄ２，Ｄ１１をデザイン選択部３２ｂに強調して（図９に示すように、デザイン選択部３２ｂの上位に表示して線Ｌで囲うなどして）表示することができる。ここで、爪１１に適合すると判別されたネイルデザインＤ１，Ｄ２，Ｄ１１のみをデザイン選択部３２ｂに表示してもよく、爪１１に適合するネイルデザインＤの表示の仕方は任意である。ステップＳ６は、本発明にいう「判別ステップ」に相当する。
【００５５】
次に、ステップＳ７において、デザイン確認部３２ａに表示された複数のネイルデザインＤ（例えば、図９に示されるネイルデザインＤ１，Ｄ２など）の中から、描画したいネイルデザインＤをデザイン確認部３２ａ上でタッチしてユーザーが選択する。ユーザーにより、複数のネイルデザインＤの中からいずれかのネイルデザインＤが選択されると、選択されたネイルデザインＤが、爪１１に描画するデザインとして設定される。設定されたネイルデザインＤは、画像処理部６４により爪領域Ｔのサイズに合わせて縮小・拡大が行われた後、表示制御部６０により、指画像Ｐに重畳した形でデザイン確認部３２ａに表示される。これにより、ユーザーは、描画後の爪１１の状態をイメージすることができる。
【００５６】
次に、ステップＳ８において、デザイン選択部３２ｂの描画ボタン３２ｆ（図９参照）を押すと、ステップＳ９で、描画制御部６１により、描画部７０が爪１１に対して描画を開始する。設定されたネイルデザインＤの爪１１への描画が完了すると、一連の処理が終了する。
【００５７】
（実施形態の効果）
以上、説明した実施形態によれば、ユーザーの爪１１の形状からを解析して爪１１の特徴量を求め、この特徴量に基づいて複数のネイルデザインＤから爪１１の形状に対して相性の良いネイルデザインが判別されて、爪１１の形状に適合したネイルデザインがユーザーに提示される。したがって、複数のネイルデザインの中から、ユーザーが、爪１１の形状に適したネイルデザインをより簡便に選択することができて、この選択したネイルデザインを爪１１に好適に描画することができる。
【００５８】
以下に、この出願の願書に最初に添付した特許請求の範囲に記載した発明を付記する。付記に記載した請求項の項番は、この出願の願書に最初に添付した特許請求の範囲の通りである。
＜請求項１＞
爪を含む指を撮影した前記爪を含む画像を取得する画像取得部と、
前記画像の前記爪の形状に基づく前記爪の特徴量を算出する解析部と、
複数のネイルデザインを記憶しているネイルデザイン記憶部と、
前記複数のネイルデザインの少なくともいずれかを表示する表示部と、
前記複数のネイルデザインの各々が前記爪に描画するのに適合しているか否かを判別する判別部と、
前記複数のネイルデザインのうちの、前記判別部により前記適合していると判別された少なくとも一つの適合ネイルデザインを前記表示部に表示させる表示制御部と、
を備え、
前記複数のネイルデザインの各々は、前記ネイルデザインを描画するのに適する爪の前記特徴量の値を判別基準データとして有し、
前記判別部は、前記爪の前記特徴量と前記各ネイルデザインの前記判別基準データとの比較に基づいて前記判別を行うことを特徴とするネイルデザイン表示制御装置。
＜請求項２＞
前記特徴量は、指の長さ方向に沿った前記爪の長さと、前記爪の長さを前記爪の長さと直交する前記爪の幅で割った前記爪の縦横比と、前記爪の面積を前記爪の長さ方向に沿って前記爪を取り囲む外接四角形の面積で割った前記爪の面積率であり、
前記判別基準データは、前記複数のネイルデザインの各々を描画するのに適した、前記爪の長さ、前記縦横比、及び、前記面積率の範囲のデータであることを特徴とする請求項１に記載のネイルデザイン表示制御装置。
＜請求項３＞
前記判別部で前記爪に適合すると判別された前記適合ネイルデザインを前記表示部に表示させる指示がなされる操作部を備え、
前記表示制御部は、前記操作部により前記爪に適合する前記適合ネイルデザインを前記表示部に表示する指示が行われたとき、前記表示部に前記適合ネイルデザインを表示させることを特徴とする請求項１又は請求項２に記載のネイルデザイン表示制御装置。
＜請求項４＞
前記表示制御部は、前記表示部に前記複数のネイルデザインを表示させるとともに、前記複数のネイルデザインのうちの前記適合ネイルデザインを強調して表示させることを特徴とする請求項１乃至３のいずれかに記載のネイルデザイン表示制御装置。
＜請求項５＞
前記表示制御部は、前記表示部に前記複数のネイルデザインの各々を表示させるときの表示順序を制御し、前記複数のネイルデザインのうちの前記適合ネイルデザインを、該適合ネイルデザイン以外の前記各ネイルデザインより上位の表示順序で表示させることを特徴とする請求項１乃至４のいずれかに記載のネイルデザイン表示制御装置。
＜請求項６＞
前記表示制御部は、前記表示部に、前記ネイルデザインとして前記適合ネイルデザインのみを表示させることを特徴とする請求項１乃至３のいずれかに記載のネイルデザイン表示制御装置。
＜請求項７＞
請求項１乃至６に記載のネイルデザイン表示制御装置と、
前記表示部の前記ネイルデザイン表示領域に表示された前記適合ネイルデザインの中から前記爪に描画する特定のネイルデザインを選択するための選択部と、
前記選択部で選択された前記特定のネイルデザインを前記爪に描画する描画部と、
を備えることを特徴とするネイルプリント装置。
＜請求項８＞
爪を含む指を撮影して、前記爪を含む画像を取得する画像取得ステップと、
前記画像の前記爪の形状に基づく前記爪の特徴量を算出する解析ステップと、
予め記憶されている複数のネイルデザインの各々が前記爪に描画するのに適合しているか否かを判別する判別ステップと、
前記複数のネイルデザインのうちの、前記判別ステップにより前記適合していると判別された少なくとも一つの適合ネイルデザインを表示部に表示させる表示制御ステップと、
を含み、
前記複数のネイルデザインの各々は、前記ネイルデザインを描画するのに適する爪の前記特徴量の値を判別基準データとして有し、
前記判別ステップは、前記爪の前記特徴量と前記各ネイルデザインの前記判別基準データとの比較に基づいて、前記判別を行うことを特徴とするネイルデザイン表示制御方法。
＜請求項９＞
コンピュータに、
撮影部により爪を含む指を撮影させて、前記爪を含む画像を取得させ、
前記画像の前記爪の形状に基づき前記爪の特徴量を算出させ、
描画に適する爪の前記特徴量の値を判別基準データとして有している、予め記憶されている複数のネイルデザインの各々が前記爪に描画するのに適合しているか否かを、前記爪の特徴量と前記判別基準データとの比較に基づいて判別させ、
前記複数のネイルデザインのうちの、前記適合していると判別された少なくとも一つの適合ネイルデザインを表示部に表示させることを特徴とするネイルデザイン表示制御プログラム。
【符号の説明】
【００５９】
１０      ネイルプリント装置
１１      爪
１２      描画指
３１      操作部
３２      表示部
３２ｂ    デザイン選択部（選択部）
４６      画像取得部
５３      記憶部
５７      ネイルデザイン記憶部
５９      爪領域検出部
６２      解析部
６３      判定部
７０      描画部
Ｄ        ネイルデザイン
Ｈ        爪の長さ
Ｗ        爪の幅
Ｓ        外接四角形
Ｒ        爪の面積率
Ｔ        爪領域
Ｐ        指画像
【図１】
0006435749.tif 000002
【図２】
0006435749.tif 000003
【図３】
0006435749.tif 000004
【図４】
0006435749.tif 000005
【図５】
0006435749.tif 000006
【図６】
0006435749.tif 000007
【図７】
0006435749.tif 000008
【図８】
0006435749.tif 000009
【図９】
0006435749.tif 000010
【図１０】
0006435749.tif 000011